(57)【要約】      （修正有）【課題】ブレードそのものを操作することで片手で容易に安全かつ確実に操作できる簡単な構成を有するフォールディングナイフを提供する。【解決手段】背金４を挟んで、右側板３と背金と左側板２とをボルトで固定したハンドル５の前端に、ブレード１が自由に回転可動な軸１１を設けると共に、ブレードの後端上部に、ハンドル前端上部と下部に設けた切欠きに収納するようロックピン１２を設けることで、ブレードの使用状態またはハンドル内に収納状態共にロック固定されると共に、ブレードを操作することで、ブレードが回転可動となるよう、ブレード後端部内に、ブレードが常に加圧されるよう押しバネを設ける。【選択図】図１
0003202716.tif 000002
【実用新案登録請求の範囲】
【請求項１】
背金を挟んで、右側板と背金と左側板とをボルトで固定したハンドルの前端に、ブレードが自由に回転可動な軸を設けると共に、ブレードの後端上部に、ハンドル前端上部と下部に設けた切欠きに収納するようロックピンを設けることで、ブレードの使用状態またはハンドル内に収納状態共にロック固定されると共に、ブレードを操作することで、ブレードが回転可動となるよう、ブレード後端部内に、ブレードが常に加圧されるよう押しバネを設けることを特徴とするフォールディングナイフ。
【考案の詳細な説明】
【技術分野】
【０００１】
本考案は、ブレードを操作することにより、ブレードを片手で容易に開閉できるフォールディングナイフに関するものである。
【背景技術】
【０００２】
従来、ハンドル内外に設けた装置を操作することにより、ブレードの開閉を片手で行えるフォールディングナイフがあった。ハンドルに設けたボタンやレバーを操作することでブレードのロックを開閉するフォールディングナイフは、ボタンやレバーが直接ブレードを固定するものがあり、指先で操作するため構造上操作スペースを十分に設けられず操作しずらかった。
【先行技術文献】
【特許文献】
【０００３】
【特許文献１】特開２００１−１３７５６６号広報
【考案の概要】
【考案が解決しようとする課題】
【０００４】
上記の通り、特許文献１の折りたたみナイフは、ブレードのロックを開閉するためにはブレードの後端部に多くの部品を設け製作が複雑になり、誤操作を引き起こす恐れがあった。
【課題を解決するための手段】
【０００５】
本考案は、簡単な操作でブレードそのものを可動にすることで、ブレード使用状態やハンドル内にブレードが収納された状態でも不用意なロック解除が起こらず、容易な操作で安全かつ確実に片手で開閉できることを最も主要な特徴とする。
【考案の効果】
【０００６】
本考案のフォールディングナイフは、ブレードそのものを操作するだけで、ブレードの開閉状態にかかわらずブレードとハンドルは固定され、安全かつ確実にブレードとハンドルとを保持することができる利点がある。
【図面の簡単な説明】
【０００７】
【図１】図１は本考案の構成を示した斜視図である。
【図２】図２は本考案のブレードが開いている状態と閉じている状態の展開図である。
【図３】図３は本考案のブレードが開いた状態でロックされた状態とロックが外されようとしている状態の左側面図である。
【考案を実施するための形態】
【０００８】
ブレードそのものを操作することでブレードの開閉を片手でするという目的を、ブレードに設けた最少の部品点数で、安全確実な作業を損なわずにできることを実現した。
【実施例】
【０００９】
本実施例に係るブレードの一部を操作することでブレードを片手で容易に開閉できるフォールディングナイフについて、図面を参照しながら説明する。図１は、本実施例の斜視図であってブレード（１）と左側板（２）と右側板（３）と背金（４）とで構成されるハンドル（５）を備えている。
【００１０】
図２は、本実施例の展開図で、上図は、ブレード（１）が開いている状態でロックされ、ハンドル（５）の左側板（２）を取り外した左側面図である。下図は、ブレード（１）が閉じている状態でロックされ、ハンドル（５）の左側板（２）を取り外した左側板（２）を取り外した左側面図である。
【００１１】
図１で、左側板（２）の前端に軸（１１）を設け、ブレード（１）の回転中心部を経て右側板（３）とで固定する。
【００１２】
図１で、ブレード（１）の後端上部にロックピン（１２）を設け、左側板（２）と右側板（３）の前端上部に設けた上切欠き（２２）に収納すると、ブレードが開いた状態でロックされる。図２の上図はその状態を示す。
【００１３】
図２で、ブレード（１）が閉じた状態のとき、ロックピン（１２）は左側板（２）と右側板（３）の前端下部に設けた下切欠き（２３）に収納されると、ブレード（１）が閉じた状態でロックされる。
【００１４】
図２で、ブレード（１）の回転中心部は、押しバネ（１３）が溝（１４）に収納され、軸（１１）はこの溝（１４）内を自由に動け、押しバネ（１３）によって常に中心方向に押されている。
【００１５】
図２で、左側板（２）と右側板（３）が連結されるように設けたストップピン（２１）は、ブレード（１）が開いた状態ではブレード（１）の後端上部に常に接するよう設けるとともに、ブレード（１）が閉じた状態では、ブレード（１）の後端下部に接するよう設ける。
【００１６】
図２で、ハンドル（５）内に折りたたまれたブレード（１）を開くためには、ハンドル（５）を握りブレード（１）上部に設けたサムノッチ（１５）を親指でハンドル（５）下方に押し下げると、ハンドル前端下部に設けた下切欠き（２３）内に収納されていたロックピン（１２）が外され、閉じた状態のブレード（１）のロックは解除される。更に、軸（１１）を中心に時計回りに回転させると、ロックピン（１２）がハンドル（５）の前端上部にある上切欠き（２２）手前でハンドル（５）前端に当たる。更に回転を続けるとブレード（１）内に設けた押しバネ（１３）の戻そうとする抵抗を受けながらロックピン（１２）は上切欠き（２２）内にすべり込み固定され、ブレード（１）は開いた状態でロックされる。
【００１７】
ブレード（１）が開いた使用状態にあるときロックを解除するには、図３で、ブレード後端下部の突起（１６）を、ハンドル（５）を握った手の人差し指で押し上げると、ロックピン（１２）が上切欠き（２２）から抜け出てロックが解除されるので、親指の腹でブレード後端角（１７）を押し出すとブレード（１）は回転し、更にブレード（１）の背（６）を押し続けるとブレード（１）はハンドル（５）内に閉じた状態でロックされる。
【００１８】
上記の通り、本実施例では簡単な操作によりブレード（１）は開いて使用状態にあっても、閉じてハンドル（５）内に収納状態にあってもブレード（１）はロックされ、使用時のブレード（１）とハンドル（５）との固定だけでなく、収納時でも不用意にブレード（１）が飛び出る恐れはない。
【００１９】
本明細書、または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうち一つの目的を達成すること自体で技術的有用性をもつものである。
【産業上の利用可能性】
【００２０】
ブレード、ハンドルの構成は左右対称であるため、使用者の利き手にかかわらず使用可能である。
【符号の説明】
【００２１】
１    ブレード
２    左側板
３    右側板
４    背金
５    ハンドル
６    背
11     軸
１２     ロックピン
13     押しバネ
14     溝
15     サムノッチ
16     突起
17     角
21    ストップピン
22    上切欠き
23    下切欠き
【図１】
0003202716.tif 000003
【図２】
0003202716.tif 000004
【図３】
0003202716.tif 000005